(57)【要約】【課題】電気式シフトロッキング装置と共に高価な部品を必要とせず、比較的単純な構造を成し、全体的な生産原価を節減し、バッテリーの放電のような電気的なトラブル発生時にも正常に作動し、高い信頼性をもつ自動変速機のシフトロッキング装置を提供する。【解決手段】本発明は、シフトロックケーブル５０及びキーロックケーブル６０が連結されたロックカム１０、ブレーキペダル７０のオンオフ状態により押さえ、または押して解除され、ロックカム１０の回転を係止または解除状態にする係止手段２０をその内部に受け入れ、車体側に固定させるケーシング３０、シフトロックケーブル５０を通じてロックカム１０の回転状態と連動させてシフトレバー８０をパーキング位置に固定したり解除させるシフトロックピン４０を含んで構成されることを特徴とする。【選択図】　　　　　図２
2004034958.tif 000002
【特許請求の範囲】
【請求項１】
回転軸を中心に一側にはシフトロックケーブル（５０）が連結され、また他の一側にはキーロックケーブル（６０）が連結され、また他の一側には係止ジョー（１２）が形成されたロックカム（１０）と、
ブレーキペダルの接触力または少なくとも一つのスプリングの弾性力を受けて前後方向の移動が可能であり、少なくとも一つのスプリングを具備して圧縮または伸張が可能であり、ブレーキペダルのオンオフ状態及び前記ロックカムの回転状態によって前記ロックカム（１０）の係止ジョー（１２）を係止または解除状態にする係止手段と、
前記ロックカム（１０）と係止手段を内部に受け入れ、前記ロックカムの回転を係止状態と解除状態の所定角度の範囲内で拘束し、前記係止手段を圧縮または伸張された状態で拘束するケーシング（３０）と、
シフトレバーの接触力または少なくとも一つのスプリングの弾性力を受けて前後方向の移動が可能であり、前記シフトロックケーブル（５０）を介してロックカム（１０）の回転状態と連動してシフトレバー（８０）をパーキング位置に固定したり解除するシフトロックピン（４０）とを含んで構成されたことを特徴とする自動変速機のシフトロッキング装置。
【請求項２】
前記係止手段は、
ブレーキペダルのオフ状態時にブレーキペダルの接触力を受けて後進位置になり、またブレーキペダルのオン状態時に第１スプリングの弾性力を受けて前進位置になるストッパーピン（２２）と、
前記ストッパーピンと一体で連結形成されたピストン（２６）をその内部に受け入れて、前記ピストン及びこれと対向する内壁面との間に前記第１スプリングよりスプリング定数がさらに大きい第２スプリング（２５）を具備し、ブレーキペダル（７０）のオフ状態時に前記ロックカム（１０）側への弾性力を付与され、ブレーキペダル（７０）のオン状態時に前記ストッパーピン（２２）と共に前進位置されるシリンダーとを含んで構成されたことを特徴とする請求項１に記載の自動変速機のシフトロッキング装置。
【請求項３】
前記シリンダー（２４）は前記ロックカム（１０）の回転状態によってその係止ジョーを係止または解除状態にすることを特徴とする請求項２に記載の自動変速機のシフトロッキング装置。
【請求項４】
前記ストッパーピン（２２）及びシリンダー（２４）が第１スプリングの弾性力により一体で前進される距離と、シリンダー（２４）が第２スプリングの弾性力により後進される距離は同一であることを特徴とする請求項２または３に記載の自動変速機のシフトロッキング装置。
【請求項５】
前記シフトロックピンは、第３スプリングにより前進位置への弾性力を付与され、シフトレバー（８０）により後進位置への接触力を付与受けることを特徴とする請求項１に記載の自動変速機のシフトロッキング装置。
【請求項６】
前記ロックカム（１０）は、前記シフトロックピン（４０）が前進位置である場合には係止状態の位置に回転され、シフトロックピン（４０）が後進位置である場合には解除状態の位置に回転されることを特徴とする請求項５に記載の自動変速機のシフトロッキング装置。
【請求項７】
前記シフトロックピン（４０）は、前進位置である場合にはシフトレバー（８０）をパーキング位置に固定し、後進位置である場合にはシフトレバー（８０）が他の変速段に移動可能な状態で解除することを特徴とする請求項１に記載の自動変速機のシフトロッキング装置。
【請求項８】
前記キーロックケーブルはキーセット部と連結され、キーセット部がキーロッキング位置でない状態で操作された場合のみに前記ロックカム（１０）が係止状態で解除状態に回転するように移動することができることを特徴とする請求項１に記載の自動変速機のシフトロッキング装置。
【請求項９】
前記キーロックケーブル（６０）はキーセット部（９０）と連結され、前記ロックカム（１０）が係止状態の位置になった場合にこれをキーセット部（９０）に伝達してキーがキーロッキング位置で操作可能なようにすることを特徴とする請求項１に記載の自動変速機のシフトロッキング装置。
【発明の詳細な説明】
【０００１】
【発明の属する技術分野】
本発明は自動変速機のシフトロッキング装置に関するものであり、より詳細には自動変速機、特にコラムタイプのシフトレバーが装着された車両において、比較的単純な機械的構成を通じてシフトロッキングとキーロッキングを同時に具現することができる自動変速機のシフトロッキング装置に関するものである。
【０００２】
【従来の技術】
自動変速機が設置された車両の場合、最近運転手の操作未熟及び車両誤動作等による急発進事故のような危険要素を排除させるために多くの安全装置が適用されているが、このような目的のためにシフトロッキング装置とキーロッキング装置が一般的に適用されている。
【０００３】
シフトロッキング装置はブレーキペダルとアクセルペダルの誤動作による危険要素を防止するために設置されるが、出発時にパーキングＰ位置でシフトレバーを操作する時にブレーキペダルを踏んでいなければ変速が不可能なようにする機能を有する。
【０００４】
一方、キーロッキング装置は自動変速車両のキーセット部に連結設置される装置であり、駐車時にシフトレバーをパーキングＰ位置にしないとキーが抜けられないで、必ずシフトレバーがパーキング位置である時のみにキーが抜けるようにする機能を有する。このようなキーロッキング装置により自動変速車両が駐車中に動いて発生され得る危険状況が防止できるようになる。
【０００５】
前記したシフトロッキング装置としては通常的に電気式（ＳＯＬＥＮＯＩＤまたはＡＣＴＵＡＴＯＲ）装置が使われており、前記キーロッキング装置はシフトロッキング装置と通常分離型で設置される。
【０００６】
図１は従来の自動変速機用のシフトロッキング装置の一例を図示した構成図である。
【０００７】
前記したようにシフトロッキング装置はブレーキペダル３を踏んだ状態のみでシフトレバー２がパーキングＰ位置で他の変速段に移動が可能なようにし、キーロッキング装置は運転手が車両の始動キー１をオフ操作する時にシフトレバー２がパーキングＰ位置にある時のみに始動キー１が抜けることができるようにする。
【０００８】
図１で説明した符号４はキーロックケーブル、符号５はシフトロックケーブル、符号６はブレーキ連結ロッドを各々表す。
【０００９】
ところが、従来のシフトロッキング装置及びキーロッキング装置は一般的に電気式で構成されるが、シフトロッキング装置及びキーロッキング装置の主要部品であるアクチュエータの値段が高価なために、全体的な生産原価が上昇するという短所があった。
【００１０】
また、アクチュエータは電気的な操作力により作動するために、電源の役割をする自動車のバッテリーが放電され、作動が不可能になるという短所があった。
【００１１】
一方、前記キーロッキング装置とシフトロッキング装置は通常、相互分離型で作動するために、それぞれの構成部品が増加して生産原価が上昇し、生産工程が複雑になるという問題点もあった。
【００１２】
【発明が解決しようとする課題】
本発明は前記のような問題点を解決するためのものであり、自動変速機、特にコラムタイプのシフトレバーが装着された車両において、比較的単純な機械的構成を通じてシフトロッキングとキーロッキングを同時に具現することができる自動変速機のシフトロッキング装置を提供することをその目的とする。
【００１３】
【課題を解決するための手段】
前記のような目的を達成するための本発明は、回転軸を中心に一側にはシフトロックケーブル５０が連結され、また他の一側にはキーロックケーブル６０が連結され、また他の一側には係止ジョー１２が形成されたロックカム１０と、ブレーキペダル７０の接触力または少なくとも一つのスプリングの弾性力を受けて前後方向の移動が可能であり、少なくとも一つのまた他のスプリングを具備して圧縮または伸張が可能であり、ブレーキペダル７０のオンオフ状態及び前記ロックカム１０の回転状態によって前記ロックカム１０の係止ジョー１２を係止または解除状態にする係止手段２０と、前記ロックカム１０と係止手段２０を内部に受け入れて、前記ロックカム１０の回転を係止状態と解除状態の所定角度の範囲内で拘束し、前記係止手段２０を圧縮または伸張された状態で拘束するケーシング３０と、シフトレバー８０の接触力または少なくとも一つのスプリングの弾性力を受けて前後方向の移動が可能であり、前記シフトロックケーブル５０を介在してロックカム１０の回転状態と連動されてシフトレバー８０をパーキング位置に固定したり解除するシフトロックピン４０とを含んで構成される。
【００１４】
また本発明において、前記係止手段２０は、ブレーキペダル７０のオフ状態時にブレーキペダル７０の接触力を受けて後進位置されて、ブレーキペダル７０のオン状態時に第１スプリング２３の弾性力を受けて前進位置されるストッパーピン２２と、前記ストッパーピン２２と一体で連結形成されたピストン２６をその内部に受け入れて、前記ピストン２６及びこれと対向する内壁面の間に前記第１スプリング２３よりスプリング定数がさらに大きい第２スプリング２５を具備し、ブレーキペダル７０のオフ状態時前記ロックカム１０側への弾性力を付与され、ブレーキペダル７０のオン状態時に前記ストッパーピン２２と共に前進位置されるシリンダー２４を含んで構成されたことを特徴とする。
【００１５】
また本発明において、前記シリンダー２４は前記ロックカム１０の回転状態によってその係止ジョー１２を係止または解除状態にすることを特徴とする。
【００１６】
また本発明において、前記ストッパーピン２２及びシリンダー２４が第１スプリング２３の弾性力により一体で前進される距離と、シリンダー２４が第２スプリング２５の弾性力により後進される距離は同一であることを特徴とする。
【００１７】
また本発明において、前記シフトロックピン４０は、第３スプリング４１により前進位置への弾性力を付与され、シフトレバー８０により後進位置への接触力を付与されることを特徴とする。
【００１８】
また本発明において、前記ロックカム１０は、前記シフトロックピン４０が前進位置である場合には係止状態の位置に回転され、シフトロックピン４０が後進位置である場合には解除状態の位置に回転されることを特徴とする。
【００１９】
また本発明において、前記シフトロックピン４０は、前進位置である場合にはシフトレバー８０をパーキング位置に固定し、後進位置である場合にはシフトレバー８０が他の変速段に移動可能な状態で解除することを特徴とする。
【００２０】
また本発明において、前記キーロックケーブル６０はキーセット部９０と連結され、キーセット部９０がキーロッキング位置でない状態で操作された場合のみに前記ロックカム１０が係止状態から解除状態に回転するように移動することができることを特徴とする。
【００２１】
また本発明において、前記キーロックケーブル６０はキーセット部９０と連結され、前記ロックカム１０が係止状態の位置になった場合にこれをキーセット部９０に伝達してキーがキーロッキング位置で操作可能なようにすることを特徴とする。
【００２２】
以上のような本発明の目的と別の特徴及び長所などは次ぎに参照する本発明の好適な実施例に対する以下の説明から明確になるであろう。
【００２３】
【発明の実施の形態】
以下添付図面を参照して本発明の望ましい実施例を説明する。
図２は本発明の一実施例によるシフトロッキング装置の断面構成図であり、図３は図２に図示されたシフトロッキング装置のブレーキペダルストッパー部の詳細断面構成図あり、図４は図２に図示されたシフトロッキング装置のキーセット部を図示した詳細断面構成図であり、図５は図２に図示されたシフトロッキング装置のシフトレバー部を図示した詳細断面構成図である。
【００２４】
本実施例によるシフトロッキング装置にはシフトロックケーブル５０及びキーロックケーブル６０が連結されたロックカム１０と、ブレーキペダル７０のオンオフ状態により押しまたは押し解除状態になって前記ロックカム１０の回転を係止または解除状態にする係止手段２０が備わる。
【００２５】
また、ロックカム１０及び係止手段２０をその内部に受け入れて車体側に固定させるケーシング３０と、前記シフトロックケーブル５０を通じてロックカム１０の回転状態と連動されてシフトレバー８０．をパーキング位置に固定したり解除させるシフトロックピン４０が備わる。
【００２６】
図示されたように前記ロックカム１０はその回転軸を中心に一側にはシフトロックケーブル５０が連結され、また他の一側にはキーロックケーブル６０が連結され、また他の一側には係止ジョー１２が形成される。
【００２７】
前記係止ジョー１２は後述するように係止手段２０の一端部が挿入または引出しができる段ジョーの形状を有し、ロックカム１０の回転位置が図示された係止状態Ｌまたは解除状態Ｕで固定されることができるようにする。
【００２８】
前記係止手段２０はブレーキペダル７０のオンオフ状態によりブレーキペダル７０の一側に形成されたペダルストッパー７２を通じて押しまたは押し解除状態になるが、図示されたようにブレーキペダル７０がオフ状態（ＯＦＦ）である時には押し状態になり、オン（ＯＮ）状態である時には押し解除状態となる。
【００２９】
このような構造を通じて押し状態である時にペダルストッパー７２から接触力を受けるようになり、押し解除状態である時に外周に備わる第１スプリング２３の反対方向の弾性力を受けるようになり、前進または後進方向の移動がなされて、内部に備わった第２スプリング２５により全体長さの圧縮または伸張が可能になる。
【００３０】
このような係止手段２０の移動及び伸縮はブレーキペダル７０のオンオフ状態だけでなく前記ロックカム１０の回転状態によって有機的になされるものであり、前記ロックカム１０の係止ジョー１２を係止状態Ｌまたは解除状態Ｕ中の一つで維持させる機能をする。
【００３１】
より詳細には前記係止手段２０はストッパーピン２２とシリンダー２４を具備する。
前記ストッパーピン２２はブレーキペダル７０のオフ状態時にペダルストッパー７２を通じてブレーキペダル７０の接触力を受けて後進位置Ｂになり、ブレーキペダル７０のオン状態時に第１スプリング２３の弾性力を受けて前進位置Ｆになる。
【００３２】
前記シリンダー２４は前記ストッパーピン２２と中間バー２２ａを通じて一体で連結形成されたピストン２６をその内部に受け入れるが、前記ピストン２６及びこれと対向する内壁面との間に前記第１スプリング２３よりスプリング定数がさらに大きい第２スプリング２５を具備する。
【００３３】
このような構成を通じてシリンダー２４はブレーキペダル７０のオフ状態時には前記第２スプリング２５によりロックカム１０側への弾性力を付与され、ブレーキペダル７０がオン状態になる時に前記第１スプリング２３の弾性力により前記ストッパーピン２２と共に前進移動される。
【００３４】
これにより、前記シリンダー２４はブレーキペダル７０がオフ状態で前記ロックカム１０が係止状態Ｌに位置する場合にはロックカム１０の係止ジョー１２の内部に挿入された状態を維持し、ブレーキペダル７０がオン状態になる場合にはストッパーピン２２と一体で前進してロックカム１０の係止ジョー１２から引出されてロックカム１０が解除状態Ｕに回動可能にさせる。
【００３５】
一方、前記ストッパーピン２２及びシリンダー２４が第１スプリング２３の弾指力により一体で前進される距離は、シリンダー２４が第２スプリング２５の弾指力により後進される距離は同一になるように形成され、前記のような係止と解除動作が円滑になされるようになる。
【００３６】
前記ロックカム１０と係止手段２０はケーシング３０の内部に受け入れて車体側に固定される。
【００３７】
前記ケーシング３０はロックカム１０の回転軸が固定されてロックカム１０の回転が係止状態Ｌと解除状態Ｕの所定角度の範囲内のみでなされるように拘束するロックカム受容部３０ａを具備し、また前記係止手段２０が圧縮または伸張された状態で前後進移動して前記係止ジョー１２に挿入または引出しできるように形成された係止手段受容部３０ｂを一体で具備する。
【００３８】
また、前記ケーシング３０にはシフトロックケーブル５０とキーロックケーブル６０が通過される貫通口が各々形成され、車体側に固定可能なように多数個の固定用ブラケットが形成され、前記係止手段２０のストッパーピン２２の端部がブレーキペダル７０側に突出されることができるようにするまた他の貫通口が形成される。
【００３９】
一方、前記シフトロックピン４０はシフトレバー８０から接触力を受けて後進移動されるか、または第３スプリング４１から反対方向の弾性力を受けて前進方向に移動が可能なように形成される。
【００４０】
前記の前後進移動はシフトロックケーブル５０を介してロックカム１０の回転状態と連動されてなされるが、前進位置Ｆ時にはシフトレバー８０をパーキング位置に固定させるようになり、後進位置Ｂ時にはシフトレバー８０をパーキング位置から他の変速段に移動可能なように解除させるようになる。
【００４１】
また他の側面からみると、ブレーキペダル７０がオン状態になり、係止手段２０が前進してロックカム１０の係止ジョー１２から引出された場合にロックカム１０は解除状態Ｕで回動可能になる。
【００４２】
この時、運転手がシフトレバー８０を操作するようになればシフトレバー８０の接触力によりシフトロックピン４０が後進され、シフトロックケーブル５０を通じてその操作力が伝えられてロックカム１０は解除状態Ｕで回動される。
【００４３】
一方、図示されたようにロックカム１０が係止状態Ｌである時にはシフトロックケーブル５０とキーロックケーブル６０とはそれぞれの前進位置Ｆにあり、係止手段２０は後進位置Ｂにあって、ロックカム１０が解除状態Ｕである時にはシフトロックケーブル５０とキーロックケーブル６０とはそれぞれの後進位置Ｂにあって係止手段２０はシリンダー２４の位置を基準に前進位置にあるようになる。
【００４４】
シフトロックケーブル５０が前進位置Ｆにあればシフトロックピン４０はシフトレバー８０の回動を拘束してパーキング位置で他の変速段に移動することを防止するようになって、キーロックケーブル６０が前進位置Ｆにあればキーセット部９０のキーシリンダー９２がキーロックブロック９４側に移動してキーがキーセット部９０から抜けることができる状態にするようになる。
【００４５】
以下、本実施例の作動関係に対して説明する。図５ａないし図５ｃは図２に図示されたシフトロッキング装置の作動状態図である。
【００４６】
図６はブレーキペダル７０がオフ状態にあって変速段がパーキング位置にある状態であり、ペダルストッパー７２が係止手段２０を押さえているために、係止ジョー１２に引入された係止手段２０によりロックカム１０が係止状態Ｌから解除状態Ｕに回転できないように維持される。
【００４７】
これによりシフトロックケーブル５０を通じて連結されたシフトロックピン４０も後進方向Ｂに移動できなくなるために、シフトレバー８０がパーキング位置で他の変速段に移動されないように拘束される。
【００４８】
この時には第１スプリング２３だけが圧縮状態であり、スプリング定数が大きい第２スプリング２５は伸張状態を維持する。
【００４９】
図７は運転手がブレーキペダル７０を踏んでオン状態にしてシフトレバー８０を操作してシフトロックピン４０を後進位置Ｂで加圧した状態である。
【００５０】
係止手段２０は第１スプリング２３の弾性力により前進方向に移動してロックカム１０が回動可能な状態にするようになって、シフトロックピン４０はこれにより後進方向への移動が可能になる。
【００５１】
運転手がシフトレバー８０を操作して後進方向に接触力を加えればシフトロックピン４０及びシフトロックケーブル５０は後進され、ロックカム１０は解除状態Ｕで回転され、シフトレバー８０はパーキング位置で他の変速段に移動が可能な状態となる。また、キーロックケーブル６０もロックカム１０の回転により後進移動するためにキーが抜けることができない状態で拘束される。
【００５２】
この時には第１スプリング２３と第２スプリング２５の両方は伸張状態を維持するようになる。
【００５３】
図５ｃは運転手がブレーキペダル７０から足を離して再びオフになった状態であり、ロックカム１０は相変らず解除状態Ｕにあり、係止手段２０のストッパーピン２２がペダルストッパー７２により押されるようになるので後進方向に移動する。
【００５４】
しかし、ストッパーピン２２が後進方向に移動してもシリンダー２４はそのままの位置を維持するようになるが、これはシフトロックピン４０がシフトレバー８０により後進位置Ｂを維持する状態であるので、ロックカム１０もそのまま解除状態Ｕを維持するためである。
【００５５】
したがって、係止手段２０は圧縮状態になるが、この時第１スプリング２３と第２スプリング２５の両方は圧縮状態となる。
【００５６】
運転手がシフトレバー８０をパーキング位置に再び操作すれば、第３スプリング４１の弾性力によりシフトロックピン４０は前進位置Ｆに移動し、これによりロックカム１０は係止状態Ｌに回転され、係止手段２０は第２スプリング２５の弾性力によりロックカム１０の係止ジョー１２に後進されて再びシフトロック状態となる。
【００５７】
一方、本発明の具体的な構成の各々は前記した実施例の形態に限定されることがなく、本発明の技術的思想の範囲で多様な変形が可能であり、このような変形実施は本発明の技術的思想の範囲内に含まれるものである。
【００５８】
【発明の効果】
このような本発明の自動変速機のシフトロッキング装置は、電気式シフトロッキング装置と共に高価な部品を必要とせずに、比較的単純な構造を有するので全体的な生産原価を節減させ、バッテリーの放電のような電気的なトラブルの発生時にも正常に作動するので製品の信頼性及び商品性を向上させる。
【図面の簡単な説明】
【図１】従来の自動変速機用のシフトロッキング装置の一例を図示した概略構成図である。
【図２】本発明の一実施例によるシフトロッキング装置の断面構成図である。
【図３】図２に図示されたシフトロッキング装置のブレーキペダルストッパー部の詳細断面構成図である。
【図４】図２に図示されたシフトロッキング装置のキーセット部を図示した詳細断面構成図である。
【図５】図２に図示されたシフトロッキング装置のシフトレバー部を図示した詳細断面構成図である。
【図６】図２に図示されたシフトロッキング装置の作動状態図である。
【図７】図２に図示されたシフトロッキング装置の作動状態図である。
【図８】図２に図示されたシフトロッキング装置の作動状態図である。
【符号の説明】
１０　ロックカム
１２　係止ジョー
２０　係止手段
２２　ストッパーピン
２３　第１スプリング
２４　シリンダー
２５　第２スプリング
２６　ピストン
３０　ケーシング
４０　シフトロックピン
４１　第３スプリング
５０　シフトロックケーブル
６０　キーロックケーブル
７０　ブレーキペダル
８０　シフトレバー
９０　キーセット部
【図１】
2004034958.tif 000003
【図２】
2004034958.tif 000004
【図３】
2004034958.tif 000005
【図４】
2004034958.tif 000006
【図５】
2004034958.tif 000007
【図６】
2004034958.tif 000008
【図７】
2004034958.tif 000009
【図８】
2004034958.tif 000010